(57)【要約】真空遮断器に用いられる真空スイッチ管の接点開閉動作の速度を電磁操作により制御する真空遮断器の電磁操作装置であって、真空スイッチ管の閉極用駆動コイル３１と、閉極用駆動コイル３１の周囲温度を計測する第１の温度センサー２０１を備え、第１の温度センサー２０１が計測する温度に基づいて閉極用駆動コイル３１に流す電流を制御するようにした。
2013031037.tif 000002
【特許請求の範囲】
【請求項１】
真空遮断器に用いられる真空スイッチ管の接点開閉動作の速度を電磁操作により制御する真空遮断器の電磁操作装置であって、
前記真空スイッチ管の閉極用駆動コイルと、
前記閉極用駆動コイルの周囲温度を計測する第１の温度センサーを備え、
前記第１の温度センサーが計測する温度に基づいて前記閉極用駆動コイルに流す電流を制御することを特徴とする真空遮断器の電磁操作装置。
【請求項２】
真空遮断器に用いられる真空スイッチ管の接点開閉動作の速度を電磁操作により制御する真空遮断器の電磁操作装置であって、
前記真空スイッチ管の開極用駆動コイルと、
前記開極用駆動コイルの周囲温度を計測する第３の温度センサーとを備え、
前記第３の温度センサーが計測する温度に基づいて前記開極用駆動コイルに流す電流を制御することを特徴とする真空遮断器の電磁操作装置。
【請求項３】
真空遮断器に用いられる真空スイッチ管の接点開閉動作の速度を電磁操作により制御する真空遮断器の電磁操作装置であって、
前記真空スイッチ管の閉極用駆動コイルと、
前記閉極用駆動コイルの周囲温度を計測する第１の温度センサーを備え、
前記第１の温度センサーが計測する温度に基づいて前記閉極用駆動コイルに流す電流を制御するとともに、
前記真空スイッチ管の開極用駆動コイルと、
前記開極用駆動コイルの周囲温度を計測する第３の温度センサーとを備え、
前記第３の温度センサーが計測する温度に基づいて前記開極用駆動コイルに流す電流を制御することを特徴とする真空遮断器の電磁操作装置。
【請求項４】
真空遮断器に用いられる真空スイッチ管の接点開閉動作の速度を電磁操作により制御する真空遮断器の電磁操作装置であって、
前記真空スイッチ管の閉極用駆動コイルと、
前記閉極用駆動コイルに接点閉極用駆動電流を流すための閉極用駆動コンデンサと、
前記閉極用駆動コンデンサを充電する閉極用充電回路と、
前記閉極用駆動コイルの周囲温度を計測する第１の温度センサーと、
前記第１の温度センサーが計測する温度に基づいて前記閉極用充電回路に対して前記閉極用駆動コンデンサの充電電圧補正値を指示する第１の温度補正指示部を備えたことを特徴とする真空遮断器の電磁操作装置。
【請求項５】
前記閉極用駆動コンデンサの周囲温度を計測する第２の温度センサーを設け、
前記第１の温度補正指示部は、前記第１の温度センサーおよび前記第２の温度センサーが計測する温度に基づいて前記閉極用充電回路に対して前記閉極用駆動コンデンサの充電電圧補正値を指示することを特徴とする請求項４に記載の真空遮断器の電磁操作装置。
【請求項６】
真空遮断器に用いられる真空スイッチ管の接点開閉動作の速度を電磁操作により制御する真空遮断器の電磁操作装置であって、
前記真空スイッチ管の開極用駆動コイルと、
前記開極用駆動コイルに接点開極用駆動電流を流すための開極用駆動コンデンサと、
前記開極用駆動コンデンサを充電する開極用充電回路と、
前記開極用駆動コイルの周囲温度を計測する第３の温度センサーと、
前記第３の温度センサーが計測する温度に基づいて前記開極用充電回路に対して前記開極用駆動コンデンサの充電電圧補正値を指示する第２の温度補正指示部を備えたことを特徴とする真空遮断器の電磁操作装置。
【請求項７】
前記開極用駆動コンデンサの周囲温度を計測する第４の温度センサーを設け、
前記第２の温度補正指示部は、前記第３の温度センサーおよび前記第４の温度センサーが計測する温度に基づいて前記開極用充電回路に対して前記開極用駆動コンデンサの充電電圧補正値を指示することを特徴とする請求項６に記載の真空遮断器の電磁操作装置。
【請求項８】
真空遮断器に用いられる真空スイッチ管の接点開閉動作の速度を電磁操作により制御する真空遮断器の電磁操作装置であって、
前記真空スイッチ管の閉極用駆動コイルと、
前記閉極用駆動コイルに接点閉極用駆動電流を流すための閉極用駆動コンデンサと、
前記閉極用駆動コンデンサを充電する閉極用充電回路と、
前記閉極用駆動コイルの周囲温度を計測する第１の温度センサーと、
前記閉極用駆動コンデンサの周囲温度を計測する第２の温度センサーと、
前記第１の温度センサーおよび前記第２の温度センサーが計測する温度に基づいて前記閉極用充電回路に対して前記閉極用駆動コンデンサの充電電圧補正値を指示する第１の温度補正指示部と、
前記真空スイッチ管の開極用駆動コイルと、
前記開極用駆動コイルに接点開極用駆動電流を流すための開極用駆動コンデンサと、
前記開極用駆動コンデンサを充電する開極用充電回路と、
前記開極用駆動コイルの周囲温度を計測する第３の温度センサーと、
前開極用駆動コンデンサの周囲温度を計測する第４の温度センサーと、
前記第３の温度センサーおよび前記第４の温度センサーが計測する温度に基づいて前記開極用充電回路に対して前記開極用駆動コンデンサの充電電圧補正値を指示する第２の温度補正指示部を備えたことを特徴とする真空遮断器の電磁操作装置。
【請求項９】
前記第１の温度センサーは前記閉極用駆動コイルに埋め込まれていることを特徴とする請求項１、３、４のいずれか１項に記載の真空遮断器の電磁操作装置。
【請求項１０】
前記第３の温度センサーは前記開極用駆動コイルに埋め込まれていることを特徴とする請求項２、３、６のいずれか１項に記載の真空遮断器の電磁操作装置。
【請求項１１】
前記第１の温度センサーに代えて、前記閉極用駆動コイルに電流を流す第１の温度計測用通電部を備え、
前記第１の温度補正指示部は、前記第１の温度計測用通電部により前記閉極用駆動コイルに流れる電流によって発生する電圧値を検出することによって前記閉極用駆動コイルの抵抗値を求め、求めた抵抗値から前記閉極用駆動コイルの温度を演算により計測する閉極用駆動コイル温度計測手段を有し、
前記第１の温度補正指示部は、前記閉極用駆動コイル温度計測手段および前記第２の温度センサーが計測する温度に基づいて、前記閉極用充電回路に対して前記閉極用駆動コンデンサの充電電圧補正値を指示することを特徴とする請求項５に記載の真空遮断器の電磁操作装置。
【請求項１２】
前記第３の温度センサーに代えて、前記開極用駆動コイルに電流を流す第２の温度計測用通電部を備え、
前記第２の温度補正指示部は、前記第２の温度計測用通電部により前記開極用駆動コイルに流れる電流によって発生する電圧値を検出することによって前記開極用駆動コイルの抵抗値を求め、求めた抵抗値から前記開極用駆動コイルの温度を演算により計測する開極用駆動コイル温度計測手段を有し、
前記第２の温度補正指示部は、前記開極用駆動コイル温度計測手段および前記第４の温度センサーが計測する温度に基づいて、前記開極用充電回路に対して前記開極用駆動コンデンサの充電電圧補正値を指示することを特徴とする請求項７に記載の真空遮断器の電磁操作装置。
【請求項１３】
前記第１の温度センサーに代えて、前記閉極用駆動コイルに電流を流す第１の温度計測用通電部を備え、
前記第１の温度補正指示部は、前記閉極用駆動コイル温度計測手段および前記第２の温度センサーが計測する温度に基づいて、前記閉極用充電回路に対して前記閉極用駆動コンデンサの充電電圧補正値を指示するとともに、
前記第３の温度センサーに代えて、前記開極用駆動コイルに電流を流す第２の温度計測用通電部を備え、
前記第２の温度補正指示部は、前記開極用駆動コイル温度計測手段および前記第４の温度センサーが計測する温度に基づいて、前記開極用充電回路に対して前記開極用駆動コンデンサの充電電圧補正値を指示することを特徴とする請求項５または７に記載の真空遮断器の電磁操作装置。
【発明の詳細な説明】
【技術分野】
【０００１】
この発明は、電磁力を利用した駆動力により真空遮断器に用いられる真空スイッチ管の接点開閉動作を制御する「真空遮断器の電磁操作装置」に係わり、さらに詳しくは、電磁操作装置を構成する駆動コイルや駆動コンデンサの温度が変化しても、接点開閉動作速度の変化を抑制することが可能な真空遮断器の電磁操作装置に関する。
【背景技術】
【０００２】
図６は、例えば、再公表特許公報ＷＯ２００５／１１１６４１号公報（特許文献１）に示された電力開閉機器（真空遮断器）の電磁操作装置を示す図である。
図６を用いて、従来の真空遮断器の電磁操作装置の構成について説明する。
真空遮断器構成する真空スイッチ管（真空バブルとも称す）５０は、真空容器の中に開閉接点５１が収容されている。開閉接点５１は、固定接点５１ａと可動接点５１ｂで構成されており、接点が開状態のときは、固定接点５１ａと可動接点５１ｂは、所定の空隙を設けて対向配置されている。
可動接点５１ｂには、駆動棒５２が固着されており、可動接点５１ｂと駆動棒５２にて可動部を構成している。この可動部は、接圧ばね５３とばね受け５４を介して、電磁操作機構６０の可動鉄心６１に連結されている。【０００３】
電磁操作機構６０は、可動鉄心６１、閉極用駆動コイル６２および開極用駆動コイル６３を有している。
閉極用駆動コイル６２は、可動接点５１ｂを駆動して接点閉状態とするためのものであり、開極用駆動コイル６３は、可動接点５１ｂを駆動して接点開状態とするためのものである。
駆動用電磁コイルとしての閉極用駆動コイル６２および開極用駆動コイル６３は、可動鉄心６１の軸方向に所定の間隔を設けて配置されている。可動鉄心６１は、閉極用駆動コイル６２および開極用駆動コイル６３の中心部において、軸方向に移動可能に配設されている。
駆動電源装置７０は、閉極用駆動コンデンサ７１、開極用駆動コンデンサ７２、閉極指令スイッチ７３、開極指令スイッチ７４を有している。
そして、閉極指令スイッチ７３がオンすると、閉極用駆動コンデンサ７１に充電されていた電圧が閉極用駆動コイル６２に印加され、閉極用駆動コイル６２に電流が流れ、接点閉状態に駆動される。また、開極指令スイッチ７４がオンすると、開極用駆動コンデンサ７２に充電されていた電圧が開極用駆動コイル６３に印加され、開極用駆動コイル６３に電流が流れ、接点開状態に駆動される。
なお、図６において、８１は接続線、８２は電流計測器、８３は接点消耗量測定装置であるが、本願発明とは関係ないので、説明は省略する。【０００４】
前記特許文献１に記載されている状態把握装置は、固定鉄心と、この固定鉄心に対して移動可能に構成された可動鉄心と、駆動用電源により励磁された可動鉄心を移動させることにより可動鉄心に連結された被操作機器（真空スイッチ管）を駆動する電磁コイルとを備えた電磁操作装置に設けられるものであって、電磁コイルに流れる電流または電磁コイルに発生する電圧を測定する測定手段と、この測定手段からの出力波形上の変化情報を求める探索手段とを備え、この探索手段からの変化情報に基づき被操作機器または電磁操作装置の状態を推定するものである。
しかし、この特許文献１には、真空スイッチ管を用いた真空遮断器の電磁操作装置における電磁コイル（閉極用駆動コイル、開極用駆動コイル）やコンデンサ（閉極用駆動コンデンサ、開極用駆動コンデンサ）の温度変化に起因して、「電磁コイルに流れる電流が変化して接点開閉動作速度が変化すること」や「接点開閉動作速度の変化を抑制すること」については記載されていない。【０００５】
また、図７は、例えば、再公表特許公報ＷＯ０１／０３１６６７号公報（特許文献２）に示された電磁反発駆動開閉装置の構成を示す図である。
図７に示した電磁反発駆動開閉装置（すなわち、真空スイッチ管を用いた真空遮断器の電磁操作装置）は、閉極用駆動コイル１０１および開極用駆動コイル１０２を、導電性を有する反発部材と対向させて配置し、充電電源１０３により所定の充電電圧に充電されたコンデンサ１０４から選択されたコイル１０１、１０２のいずれかに駆動電流を供給し、各コイル１０１、１０２と反発部材との間に発生した電磁力の反発力により固定接点と可動接点との間を接離するようにした電磁反発駆動開閉装置において、コンデンサ１０４の温度変化に対して駆動電流のピーク値が所定の範囲に入るように、充電電源１０３の出力電圧を制御する電圧制御手段１０５を設けている。【０００６】
特許文献２には、「電圧制御手段を設けたことにより、コンデンサの温度が変化しても、駆動電流のピーク値が所定の範囲に入るように制御することにより、接点を安定して精度よく行う」ことが記載されている。
すなわち、特許文献２には、閉極用駆動コイルおよび開極用駆動コイルに電流を流すための駆動コンデンサの温度変化に対応して、閉極用駆動コイルおよび開極用駆動コイルに流れる電流の大きさを制御して、接点動作速度の変化を抑制することが記載されている。
しかし、特許文献２にも、真空スイッチ管を用いた真空遮断器の電磁操作装置における電磁コイル（閉極用駆動コイル、開極用駆動コイル）の周囲温度変化に起因する接点動作速度の変化を抑制することについては記載されていない。【０００７】
特許文献１：再公表特許公報ＷＯ２００５／１１１６４１号公報
特許文献２：再公表特許公報ＷＯ０１／０３１６６７号公報
【発明の開示】
【発明が解決しようとする課題】
【０００８】
真空遮断器は、動作責務（動作仕様）が規格（ＪＥＣ−２３００）によって規定されており、３サイクル(５０ｍ  ｓｅｃ)でのクローズ・オープン(すなわち、閉極・開極動作)が必要である。
なお、「JEC」とは、「Japanese  Electro-technical  Committee」のことである。
真空遮断器の通常の使用状態では、この動作責務を満たすために、駆動コイルへの通電制御を一定の時間で制御している。
しかし、気温の変化により電磁操作装置の駆動コイルの抵抗値が変化して、駆動コイルに流れる電流値が変化する。そのため、真空遮断器を構成する真空スイッチ管の可動接点の動作速度が変化する。
特に問題となるのが、「周囲の気温が低くなると閉極用駆動コイルの温度も低くなり、駆動コイルの抵抗値が小さくなって、閉極用駆動コイルに流れる電流の値が大きくなる」ことである。
閉極用駆動コイルに流れる電流の値が大きくなると、可動接点が速く動いてしまうので、通常の状態より接点タッチ（真空スイッチ管の可動接点と固定接点の接触、すなわち閉極動作）が早くなってしまう。【０００９】
一方、周囲の気温が高くなると開極用駆動コイルの温度も高くなり、開極用駆動コイルの抵抗値が高くなり、開極用駆動コイルに流れる電流の値が小さくなる。
開極用駆動コイルに流れる電流の値が小さくなると、可動接点が遅く動いてしまうので、通常の状態よりも開極動作が遅くなってしまう。
真空遮断器の通常の使用状態では、閉極用駆動コイルおよび開極用駆動コイルへの通電制御は、一定の時間で制御している。
そのため、閉極時の接点動作が通常より早くなったり、開極時の接点動作が通常より遅くなったりすると、接点クローズ・オープン全体の時間が長くなってしまい、３サイクル(５０ｍ  ｓｅｃ)クローズ・オープンの動作責務を満たせなくなるという問題が有った。
また、閉極用駆動コンデンサおよび開極用駆動コンデンサは、温度が低くなると充電容量が変化する。例えば、温度が低くなって充電容量が小さくなると、充電エネルギーが小さくなり、閉極用駆動コイルおよび開極用駆動コイルに流れる電流は小さくなり、可動接点の動作速度に影響を及ぼす。【００１０】
図８は、従来の真空遮断器の閉極動作時における問題点を説明するためのイメージ図であり、図８（ａ）は、閉極用駆動コイルの温度が低くなった場合の接点動作状態を説明するための図である。
図８（ａ）に示す実線Ａは、閉極用駆動コイルの温度が常温時の接点位置の変移線であり、破線Ｂは、閉極用駆動コイルの温度が低くなり、接点タッチ（閉極動作）が速くなったときの接点位置の変移線である。
図８（ａ）に示すように、従来の真空遮断器では、閉極用駆動コイルの温度が低くなり、接点タッチが速くなると、接点のクローズ・オープン全体の時間が長くなってしまい、「３サイクル(５０ｍ  ｓｅｃ)クローズ・オープン」の動作責務を満たせなくなる。
また、充電電圧を印加して閉極用駆動コイルに電流を流すための駆動コンデンサの温度が変化すると、閉極用駆動コイルに流れる電流の値が変化するので、接点タッチの速度が変化し、接点のクローズ・オープン全体の時間に影響を及ぼし、３サイクル(５０ｍ  ｓｅｃ)クローズ・オープンの動作責務を満たせなくなる恐れがある。
なお、図８（ｂ）は、閉極コイル（閉極用駆動コイル）に流れる電流の変化状態と開極コイル（開極用駆動コイル）に流れる電流の変化状態を示している。【００１１】
また、前述したように、周囲の温度が高くなると開極用駆動コイルの温度も高くなり、開極用駆動コイルの抵抗値が高くなり、駆動コイルに流れる電流の値が小さくなる。
開極用駆動コイルに流れる電流の値が小さくなると、開極動作時に可動接点が遅く動いてしまうので、通常の状態よりも開極動作が遅くなってしまう。
真空遮断器の通常の使用状態では、開極用駆動コイルへの通電制御も一定の時間で制御している。
そのため、開極時における接点動作が通常より遅くなると、接点クローズ・オープン全体の時間が長くなってしまうので、３サイクル(５０ｍ  ｓｅｃ)クローズ・オープンの動作責務を満たせなくなるという問題も有った。【００１２】
図９は、従来の真空遮断器の開極動作時における問題点を説明するためのイメージ図であり、図９（ａ）は、開極用駆動コイルの温度が高くなった場合の接点動作状態を説明するための図である。
図９（ａ）に示す実線Ａは、開極用駆動コイルの温度が常温時の接点位置の変移線であり、波線Ｂは、開極用駆動コイルの温度が高くなり開極動作が遅くなったときの接点位置の変移線である。
図９（ａ）に示すように、従来の真空遮断器では、開極用駆動コイルの温度が高くなり、開極動作が遅くなると、接点のクローズ・オープン全体の時間が長くなってしまい、「３サイクル(５０ｍ  ｓｅｃ)クローズ・オープン」の動作責務を満たせなくなる。
なお、図９（ｂ）は、閉極コイル（閉極用駆動コイル）に流れる電流の変化状態と開極コイル（開極用駆動コイル）に流れる電流の変化状態を示している。【００１３】
本発明は、このような従来の問題点を解決するためになされたものであり、閉極用駆動コイルおよび開極用駆動コイルの一方または両方の温度が変化しても、また、閉極用駆動コンデンサあるいは開極用駆動コンデンサの温度が変化しても、閉極用駆動コイルおよび／または開極用駆動コイルを流れる電流の変化を精度よく制御して接点開閉速度変化を抑制することが可能であり、規格（ＪＥＣ−２３００）により規定されている３サイクルクローズ・オープンの動作責務を満たすことができる真空遮断器の電磁操作装置を提供することを目的とする。
【課題を解決するための手段】
【００１４】
本発明に係わる真空遮断器の電磁操作装置は、真空遮断器に用いられる真空スイッチ管の接点開閉動作の速度を電磁操作により制御する真空遮断器の電磁操作装置であって、
前記真空スイッチ管の閉極用駆動コイルと、前記閉極用駆動コイルの周囲温度を計測する第１の温度センサーを備え、前記第１の温度センサーが計測する温度に基づいて前記閉極用駆動コイルに流す電流を制御するものである。【００１５】
また、本発明に係わる真空遮断器の電磁操作装置は、真空遮断器に用いられる真空スイッチ管の接点開閉動作の速度を電磁操作により制御する真空遮断器の電磁操作装置であって、前記真空スイッチ管の開極用駆動コイルと、前記開極用駆動コイルの周囲温度を計測する第３の温度センサーとを備え、前記第３の温度センサーが計測する温度に基づいて前記開極用駆動コイルに流す電流を制御するものである。【００１６】
また、本発明に係わる真空遮断器の電磁操作装置は、真空遮断器に用いられる真空スイッチ管の接点開閉動作の速度を電磁操作により制御する真空遮断器の電磁操作装置であって、
前記真空スイッチ管の閉極用駆動コイルと、前記閉極用駆動コイルの周囲温度を計測する第１の温度センサーを備え、前記第１の温度センサーが計測する温度に基づいて前記閉極用駆動コイルに流す電流を制御するとともに、
前記真空スイッチ管の開極用駆動コイルと、前記開極用駆動コイルの周囲温度を計測する第３の温度センサーとを備え、前記第３の温度センサーが計測する温度に基づいて前記開極用駆動コイルに流す電流を制御するものである。
【発明の効果】
【００１７】
本発明によれば、閉極用駆動コイルおよび／または開極用駆動コイルの温度が変化しても、閉極用駆動コイルおよび／または開極用駆動コイルに流れる電流値の変化を抑制することが可能であるので、真空遮断器の規格（ＪＥＣ−２３００）によって規定されている３サイクルクローズ・オープンの動作責務を満たすことができる「真空遮断器の電磁操作装置」を提供することができる。
【図面の簡単な説明】
【００１８】
【図１】実施の形態１に係る真空遮断器の電磁操作装置の構成を示す図である。
【図２】駆動コイルの周囲温度変化と実際の温度変化を示す図である。
【図３】第１の温度補正指示部の機能を概念的に示す機能説明図である。
【図４】第２の温度補正指示部の機能を概念的に示す機能説明図である。
【図５】実施の形態３に係る真空遮断器の電磁操作装置の構成を示す図である。
【図６】特許文献１に示された真空遮断器の電磁操作装置の構成を示す図である。
【図７】特許文献２に示された電磁反発駆動開閉装置の構成を示す図である。
【図８】従来の真空遮断器の閉極動作時における問題点を説明するためのイメージ図である。
【図９】従来の真空遮断器の開極動作時における問題点を説明するためのイメージ図である。
【発明を実施するための形態】
【００１９】
以下、図面に基づいて本発明の実施の形態について説明する。
なお、各図間において、同一符号は同一あるいは相当のものであることを表す。
実施の形態１．
図１は、実施の形態１に係る真空遮断器の電磁操作装置の概略構成を示す図である。
図１において、１０は電源（交流電源）、１１は閉極用充電回路、１２は開極用充電回路、２１は閉極用駆動コンデンサ、２２は開極用駆動コンデンサ、３１は閉極用駆動コイル、３２は開極用駆動コイル、４１は第１の通電部、４２は第２の通電部、２０１は第１の温度センサー、２０２は第２の温度センサー、２０３は第３の温度センサー、２０４は第４の温度センサー、３００は第１の温度補正指示部、４００は第２の温度補正指示部である。
なお、閉極用駆動コイル３１は、図６の閉極用駆動コイル６２あるいは図７の閉極用駆動コイル１０１に相当し、開極用駆動コイル３２は、図６の開極用駆動コイル６３あるいは図７の開極用駆動コイル１０２に相当する。
【００２０】
まず、閉極動作を行う場合について説明する。
電源１０から電源電圧が印加される閉極用充電回路１１は、後述するように、第１の温度補正指示部３００から指示される充電電圧指示値に基づいて直流電圧（充電電圧）を生成し、閉極用駆動コンデンサ２１を充電する。そして、閉極用駆動コンデンサ２１に充電された電圧は、閉極用駆動コイル３１に印加され、スイッチ機構である第１の通電部４１を介して閉極用駆動コイル３１に電流が流れる。
すなわち、閉極指令により第１の通電部４１をオンさせることによって、閉極用駆動コイル３１に電流が流れ、真空遮断機の真空スイッチ管（図示なし）の接点を閉状態に駆動する。
【００２１】
真空遮断器の接点動作が、規格（ＪＥＣ−２３００）によって規定されている動作仕様（３サイクルでのクローズ・オープン）を満たすためには、真空遮断器に用いられている真空スイッチ管の接点が開極状態から閉極状態になるまでの時間（接点閉極時間時間）が閉極用駆動コイル３１の周囲温度の変化によって変化（例えば、速く成りすぎる）しないように抑圧しなければならない。
そのため、本実施の形態では、閉極用駆動コイル３１の周囲（近傍）に閉極用駆動コイル３１の周囲温度を計測するための第１の温度センサー２０１を配置する。そして、第１の温度センサー２０１で計測した温度を第１の温度補正指示部３００に入力する。
【００２２】
また、閉極用駆動コンデンサ２１の周囲の温度が変化すると閉極用駆動コンデンサ２１に充電される電圧値も影響を受けて変化し、その結果、閉極用駆動コイル３１に流れる電流値も変化する。
すなわち、閉極用駆動コンデンサ２１の周囲の温度が変化すると閉極用駆動コイル３１に流れる電流値も変化する。
そのため、本実施の形態では、閉極用駆動コンデンサ２１の周囲に、閉極用駆動コンデンサ２１の周囲温度を計測するための第２の温度センサー２０２を配置する。そして、第２の温度センサー２０２で計測した温度を第１の温度補正指示部３００に入力する。
【００２３】
なお、本実施の形態では、第１の温度センサー２０１を閉極用駆動コイル３１の周囲に配置したので、第１の温度センサー２０１で計測する温度と閉極用駆動コイル３１の実際の温度との間に差が出る。すなわち、図２に示すように、駆動コイル（閉極用駆動コイル３１）の実際の温度変化（波線Ｂで示す）は、第１の温度センサー２０１で計測した閉極用駆動コイル３１の周囲の温度変化（実線Ａで示す）より遅れる。
また、第２の温度センサー２０２は、閉極用駆動コンデンサ２１の周囲に配置しているので、第１の温度センサー２０１による計測温度の遅延の場合と同様に、閉極用駆動コンデンサ２１の実際の温度変化も第２の温度センサー２０２で計測した閉極用駆動コンデンサ２１の近傍の温度変化より遅れる。
【００２４】
そのため、第１の温度補正指示部３００では、これらの温度計測の遅延を考慮し、第１の温度センサー２０１および第２の温度センサー２０２による温度計測値を、それぞれに対応する所定の補正テーブル（あるいは所定の計算式）に基づいて、閉極用充電回路１１に対する充電電圧指示値を設定する。
そして、第１の温度補正指示部３００は、Ｄ／Ａ変換器３１０を介して、閉極用充電回路１１に対して充電電圧（すなわち、閉極用駆動コンデンサ２１を充電する電圧値）を指示し、閉極用充電回路１１は閉極用駆動コンデンサ２１を指示された電圧に充電する。
【００２５】
図３は、第１の温度補正指示部３００の機能を概念的に示す機能説明図である。
図３において、３０１は閉極用駆動コイル３１の周囲に配置された第１の温度センサー２０１により計測される計測温度、３０２は閉極用駆動コンデンサ２１の周囲に配置された第２の温度センサー２０２により計測される計測温度、３０３は第１の温度センサー２０１により計測される計測温度を補正するための第１の補正テーブル、３０４は第２の温度センサー２０２により計測される計測温度を補正するための第２の補正テーブルである。
【００２６】
図３に示すように、第１の温度補正指示部３００では、第１の温度センサー２０１で計測された温度（すなわち、第１の温度センサー計測温度３０１）を第１の温度補正テーブル３０３で補正し、第２の温度センサー２０２で計測された温度（すなわち、第２の温度センサー計測温度３０２）を第２の温度補正テーブル３０４で補正する。
所定の基準電圧（所定の温度における基準ＤＣ電圧）３０５は、まず、第１の温度補正テーブル３０３で生成される第１の補正係数３０６により補正される。さらに、第１の補正係数３０６により補正されたＤＣ電圧は、第２の温度補正テーブル３０４で生成される第２の補正係数３０７により補正される。
そして、第１の補正係数３０６および第２の補正係数３０７で補正されたＤＣ電圧は、Ｄ／Ａ変換器３１０で変換されて閉極用充電回路１１に対する充電電圧指示値（すなわち、Ｄ／Ａ出力電圧３０８）として、第１の温度補正指示部３００から出力する。
閉極用充電回路１１は、この第１の温度補正指示部３００からの指示される充電電圧指示値に従って、閉極用駆動コンデンサ２１を充電する。
【００２７】
次に、開極動作を行う場合について説明する。
電源１０から電源電圧が印加される開極用充電回路１２は、第２の温度補正指示部４００から指示される充電電圧指示値に基づいて直流電圧（充電電圧）を生成し、開極用駆動コンデンサ２２を充電する。そして、開極用駆動コンデンサ２２に充電された電圧は、開極用駆動コイル３２に印加され、スイッチ機構である第２の通電部４２を介して開極用駆動コイル３２に電流が流れる。
すなわち、開極指令により第２の通電部４２をオンさせることによって、開極用駆動コイル３２に電流が流れ、真空遮断機の真空スイッチ管（図示なし）の接点を開状態に駆動する。
【００２８】
真空遮断器の接点動作が規格（ＪＥＣ−２３００）によって規定されている動作仕様（３サイクルでのクローズ・オープン）を満たすためには、開極動作においても、真空遮断器に用いられている真空スイッチ管の接点が閉極状態から開極状態になるまでの時間（接点開極時間）が、開極用駆動コイル３２の周囲温度の変化によって変化（例えば、遅くなり過ぎる）しないように抑圧しなければならない。
そのため、本実施の形態では、開極用駆動コイル３２の周囲に、開極用駆動コイル３２の周囲温度を計測するための第３の温度センサー２０３を配置する。そして、第３の温度センサー２０３で計測した温度を第２の温度補正指示部４００に入力する。
【００２９】
また、開極用駆動コンデンサ２２の周囲の温度が変化すると、開極用駆動コンデンサ２２に充電される電圧値も影響を受けて変化し、その結果、開極用駆動コイル３２に流れる電流値も変化する。
そのため、本実施の形態では、開極用駆動コンデンサ２２の周囲に、開極用駆動コンデンサ２２の周囲温度を計測するための第４の温度センサー２０４を配置する。そして、第４の温度センサー２０４で計測した温度を第２の温度補正指示部４００に入力する。
【００３０】
なお、本実施の形態では、第３の温度センサー２０３を開極用駆動コイル３２の周囲に配置したので、第３の温度センサー２０３で計測する温度と開極用駆動コイル３２の実際の温度との間に差が出る。すなわち、図２に示すように、駆動コイル（開極用駆動コイル３２）の実際の温度変化（波線Ｂで示す）は、第３の温度センサー２０３で計測した開極用駆動コイル３２の周囲の温度変化（実線Ａで示す）より遅れる。
また、第４の温度センサー２０４は、開極用駆動コンデンサ２２の周囲に配置しているので、第３の温度センサー２０３による計測温度の遅延の場合と同様に、開極用駆動コンデンサ２２の実際の温度変化も第４の温度センサー２０４で計測した開極用駆動コンデンサ２２の周囲の温度変化より遅れる。
【００３１】
そのため、第２の温度補正指示部４００では、これらの温度計測の遅延を考慮し、第３の温度センサー２０３および第４の温度センサー２０４による温度計測値を、それぞれに対応する所定の補正テーブル（あるいは所定の計算式）に基づいて、開極用充電回路１２に対する充電電圧指示値を設定する。
そして、第２の温度補正指示部４００は、Ｄ／Ａ変換器４１０を介して、開極用充電回路１２に対して充電電圧（すなわち、開極用駆動コンデンサ２２を充電する電圧値）を指示し、開極用充電回路１２は開極用駆動コンデンサ２２を指示された電圧に充電する。
【００３２】
図４は、第２の温度補正指示部４００の機能を概念的に示す機能説明図である。
図４において、４０１は開極用駆動コイル３２の周囲に配置された第３の温度センサー２０３により計測される計測温度、４０２は開極用駆動コンデンサ２２の周囲に配置された第４の温度センサー２０４により計測される計測温度、４０３は第３の温度センサー２０３により計測される計測温度を補正するための第３の補正テーブル、４０４は第４の温度センサー２０４により計測される計測温度を補正するための第４の補正テーブルである。
【００３３】
図４に示すように、第２の温度補正指示部４００は、第３の温度センサー２０３で計測された温度（すなわち、第３の温度センサー計測温度４０１）を第３の温度補正テーブル４０３で補正し、第４の温度センサー２０４で計測された温度（すなわち、第４の温度センサー計測温度４０２）を第４の温度補正テーブル４０４で補正する。
所定の基準電圧（所定の温度における基準ＤＣ電圧）４０５は、まず、第３の温度補正テーブル４０３で生成される第３の補正係数４０６により補正される。さらに、第３の補正係数４０６により補正されたＤＣ電圧は、第４の温度補正テーブル４０４で生成される第２の補正係数４０７により補正される。
そして、第３の補正係数４０６および第４の補正係数４０７で補正されたＤＣ電圧は、Ｄ／Ａ変換器４１０で変換されて開極用充電回路１２に対する充電電圧指示値（すなわち、Ｄ／Ａ出力電圧４０８）として、第２の温度補正指示部４００から出力する。
開極用充電回路１２は、この第２の温度補正指示部４００からの指示される充電電圧指示値に従って、開極用駆動コンデンサ２２を充電する。
【００３４】
次に、閉極用駆動コンデンサおよび開極用駆動コンデンサの温度変化による閉極時あるいは開極時の可動接点の動作速度への影響について述べる。
閉極用駆動コンデンサ２１および開極用駆動コンデンサ２２は、温度が低くなると容量は小さくなり、閉極用駆動コンデンサ２１および開極用駆動コンデンサ２２の出力電圧は小さくなる。
そのため、閉極用駆動コイル３１および開極用駆動コイル３２に流れる電流値は小さくなり、閉極時あるいは開極時の可動接点の動作速度は遅くなる。
閉極動作に関しては、実際には、温度が低くなったときに閉極用駆動コンデンサ２１の容量が小さくなることによって接点速度が遅くなることよりも、閉極用駆動コイル３１の温度が低くなったときに閉極用駆動コイル３１の抵抗値が減少することによって接点が速く動くことのほうが、閉極用駆動コイル３１に流れる電流の変化量が大きい。
そのため、閉極用駆動コンデンサ２１の容量変化による接点速度の変化分は打ち消されてしまう。
しかし、閉極用駆動コイル３１の温度変化のみに基づいて閉極用駆動コンデンサ２１の充電電圧を補正した場合には、閉極用駆動コンデンサ２１の容量変化分による誤差が発生する。
このことは、開極動作に関しても同様である。
【００３５】
本実施の形態では、第１の温度センサー２０１により計測される閉極用駆動コイル３１の温度変化と第２の温度センサー２０２により計測される閉極用駆動コンデンサ２１の温度変化の両方に基づいて閉極用駆動コンデンサ２１の充電電圧を補正する。
同様に、第３の温度センサー２０３により計測される開極用駆動コイル３２の温度変化と第４の温度センサー２０４により計測される開極用駆動コンデンサ２２の温度変化の両方に基づいて開極用駆動コンデンサ２２の充電電圧を補正する。
これにより、閉極用駆動コイル３１や閉極用駆動コンデンサ２１の周囲温度が変化しても閉極用駆動コイル３１を流れる電流を精度よく一定に制御できる。同様に、開極用駆動コイル３２や開極用駆動コンデンサ２２の周囲温度が変化しても開極用駆動コイル３２を流れる電流を精度よく一定に制御できる。
従って、開閉接点の閉極動作速度および開極動作速度を、精度よく所定の範囲内にすることができる。
すなわち、真空遮断器が動作責務（すなわち、３サイクルでのクローズ・オープン）を満たすように、接点の閉極動作および／または開極動作を精度よく一定に制御することが可能となる。
【００３６】
なお、上述の説明では、閉極用駆動コイル３１の周囲に閉極用駆動コイル３１の周囲温度を計測する第１の温度センサー２０１を配置し、且つ、閉極用駆動コンデンサ２１の周囲に閉極用駆動コンデンサ２１の周囲温度を計測する第２の温度センサー２０２を配置し、両方の温度センサーが計測する温度に基づいて、閉極用駆動コンデンサ２１の充電電圧を補正する場合、および、開極用駆動コイル３２の周囲に開極用駆動コイル３２の周囲温度を計測する第３の温度センサー２０３を配置し、且つ、開極用駆動コンデンサ２２の周囲に開極用駆動コンデンサ２２の周囲温度を計測する第４の温度センサー２０４を配置し、両方の温度センサーが計測する温度に基づいて、開極用駆動コンデンサ２２の充電電圧を補正する場合について述べた。
【００３７】
しかし、閉極用駆動コンデンサ２１の周囲に閉極用駆動コンデンサ２１の周囲温度を計測する第２の温度センサー２０２は配置せず、閉極用駆動コイル３１の周囲に閉極用駆動コイル３１の周囲温度を計測する第１の温度センサー２０１のみを配置するだけの構成であってもよく、また、開極用駆動コンデンサ２２の周囲に開極用駆動コンデンサ２２の周囲温度を計測する第４の温度センサー２０４は配置せず、開極用駆動コイル３２の周囲に開極用駆動コイル３２の周囲温度を計測する第３の温度センサー２０３のみを配置するだけの構成であってもよい。
【００３８】
この場合、閉極用駆動コンデンサ２１あるいは開極用駆動コンデンサ２２の充電電圧を補正する精度は少し悪くはなるが、閉極用駆動コイル３１あるいは開極用駆動コイル３２に流れる電流をほぼ一定の値にすることができる。
すなわち、第２の温度センサー２０２あるいは第４の温度センサー２０４を配置しなくても、真空スイッチ管の接点開閉速度をほぼ一定に抑制できるので、規格（ＪＥＣ−２３００）により規定されている３サイクルクローズ・オープンの動作責務を満たすことができる。
【００３９】
なお、真空遮断器では、真空スイッチ管の接点開閉速度が速くなると、接点開閉時の衝撃が強くなり、真空スイッチ管の寿命が短くなり、接点開閉速度が遅くなると真空遮断器の閉極動作が安定せず、投入保持不能が発生する。
しかし、本実施の形態では、閉極用駆動コイル３１、開極用駆動コイル３２、閉極用駆動コンデンサ２１、開極用駆動コンデンサ２２の温度変化に依らず、真空遮断器の接点を最適な速度（すなわち、動作責務を満たすのに必要とする最小の速度）で開閉出来るので、接点開閉時の余計な衝撃を減らすことが可能となり、真空遮断器の真空スイッチ管の寿命を長くすることができる。
【００４０】
ところで、上述の説明では、閉極用駆動コイル３１の周囲に閉極用駆動コイル３１の周囲温度を計測する第１の温度センサー２０１を配置し、且つ、閉極用駆動コンデンサ２１の周囲に閉極用駆動コンデンサ２１の周囲温度を計測する第２の温度センサー２０２を配置し、両方の温度センサーが計測する温度に基づいて、閉極用駆動コンデンサ２１の充電電圧を補正する場合について述べた。
また、開極用駆動コイル３２の周囲に開極用駆動コイル３２の周囲温度を計測する第３の温度センサー２０３を配置し、且つ、開極用駆動コンデンサ２２の周囲に開極用駆動コンデンサ２２の周囲温度を計測する第４の温度センサー２０４を配置し、両方の温度センサーが計測する温度に基づいて、閉極用駆動コンデンサ２１の充電電圧を補正する場合について述べた。
【００４１】
以上説明したように、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の閉極用駆動コイル３１と、閉極用駆動コイル３１の周囲温度を計測する第１の温度センサー２０１を備え、第１の温度センサー２０１が計測する温度に基づいて閉極用駆動コイル３１に流す電流を制御する。
従って、閉極用駆動コイル３１の周囲温度が変化しても閉極用駆動コイル３１を流れる電流を制御できるので、開閉接点の閉極動作速度を所定の範囲内にすることが可能であり、真空遮断器が動作責務（すなわち、３サイクルでのクローズ・オープン）を満たすように接点を動かすことができる。
【００４２】
また、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の開極用駆動コイル３２と、開極用駆動コイル３２の周囲温度を計測する第３の温度センサー２０３とを備え、第３の温度センサー２０３が計測する温度に基づいて開極用駆動コイル３２に流す電流を制御する。
従って、開極用駆動コイル３２の周囲温度が変化しても開極用駆動コイル３２を流れる電流を制御できるので、開閉接点の閉極動作速度を所定の範囲内にすることが可能であり、真空遮断器が動作責務を満たすように接点を動かすことができる。
【００４３】
また、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の閉極用駆動コイル３１と、閉極用駆動コイル３１の周囲温度を計測する第１の温度センサー２０１を備え、第１の温度センサー２０１が計測する温度に基づいて閉極用駆動コイル３１に流す電流を制御するとともに、さらに、真空スイッチ管の開極用駆動コイル３２と、開極用駆動コイル３２の周囲温度を計測する第３の温度センサー２０３とを備え、第３の温度センサー２０３が計測する温度に基づいて開極用駆動コイル３２に流す電流を制御する。
従って、閉極用駆動コイル３１および開極用駆動コイル３２の周囲温度が変化しても、閉極用駆動コイル３１を流れる電流および開極用駆動コイル３２を流れる電流を制御できるので、開閉接点の閉極動作速度および開極動作速度を所定の範囲内にすることが可能であり、真空遮断器が確実に動作責務を満たすように接点を動かすことができる。
【００４４】
また、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の閉極用駆動コイル３１と、閉極用駆動コイル３１に接点閉極用駆動電流を流すための閉極用駆動コンデンサ２１と、閉極用駆動コンデンサ２１を充電する閉極用充電回路１１と、閉極用駆動コイル３１の周囲温度を計測する第１の温度センサー２０１と、第１の温度センサー２０１が計測する温度に基づいて閉極用充電回路１１に対して閉極用駆動コンデンサ２１の充電電圧補正値を指示する第１の温度補正指示部３００を備えている。
第１の温度補正指示部３００は、第１の温度センサー２０１が計測する温度に基づいて閉極用充電回路１１に対して閉極用駆動コンデンサ２１の充電電圧補正値を指示するので、閉極用駆動コイル３１の周囲温度が変化しても、閉極用駆動コイル３１を流れる電流を精度よく制御できる。
【００４５】
また、本実施の形態による真空遮断器の電磁操作装置は、閉極用駆動コンデンサ２１の周囲温度を計測する第２の温度センサー２０２を設け、第１の温度補正指示部３００は、第１の温度センサー２０１および第２の温度センサー２０２が計測する温度に基づいて閉極用充電回路１１に対して閉極用駆動コンデンサ２１の充電電圧補正値を指示する。
従って、閉極用駆動コイル３１および閉極用駆動コンデンサ２１の両方の周囲温度が変化しても、閉極用駆動コイル３１を流れる電流を精度よく制御できる。
【００４６】
また、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の開極用駆動コイル３２と、開極用駆動コイル３２に接点開極用駆動電流を流すための開極用駆動コンデンサ２２と、開極用駆動コンデンサ２２を充電する開極用充電回路１２と、開極用駆動コイル３２の周囲温度を計測する第３の温度センサー２０３と、第３の温度センサー２０３が計測する温度に基づいて開極用充電回路１２に対して開極用駆動コンデンサ２２の充電電圧補正値を指示する第２の温度補正指示部４００を備えている。
第２の温度補正指示部４００は、第３の温度センサー２０３が計測する温度に基づいて開極用充電回路１２に対して開極用駆動コンデンサ２２の充電電圧補正値を指示するので、開極用駆動コイル３２の周囲温度が変化しても、開極用駆動コイル３２を流れる電流を精度よく制御できる。
【００４７】
また、本実施の形態による真空遮断器の電磁操作装置は、開極用駆動コンデンサ２２の周囲温度を計測する第４の温度センサー２０４を設け、前記第２の温度補正指示部４００は、第３の温度センサー２０３および第４の温度センサー２０４が計測する温度に基づいて開極用充電回路１２に対して開極用駆動コンデンサ２２の充電電圧補正値を指示する。
従って、開極用駆動コイル３２および開極用駆動コンデンサ２２の両方の周囲温度が変化しても、閉極用駆動コイル３１を流れる電流を精度よく制御できる。
【００４８】
また、本実施の形態による真空遮断器の電磁操作装置は、真空遮断器に用いられる真空スイッチ管の接点開閉動作の速度を電磁操作により制御する真空遮断器の電磁操作装置であって、真空スイッチ管の閉極用駆動コイル３１と、閉極用駆動コイル３１に接点閉極用駆動電流を流すための閉極用駆動コンデンサ２１と、閉極用駆動コンデンサ２１を充電する閉極用充電回路１１と、閉極用駆動コイル３１の周囲温度を計測する第１の温度センサー２０１と、閉極用駆動コンデンサ２１の周囲温度を計測する第２の温度センサー２０２と、第１の温度センサー２０１および第２の温度センサー２０２が計測する温度に基づいて閉極用充電回路１１に対して閉極用駆動コンデンサ２１の充電電圧補正値を指示する第１の温度補正指示部３００とを備え、さらに、真空スイッチ管の開極用駆動コイル３２と、開極用駆動コイル３２に接点開極用駆動電流を流すための開極用駆動コンデンサ２２と、開極用駆動コンデンサ２２を充電する開極用充電回路１２と、開極用駆動コイル３２の周囲温度を計測する第３の温度センサー２０３と、開極用駆動コンデンサ２２の周囲温度を計測する第４の温度センサー２０４と、前記第３の温度センサー２０３および前記第４の温度センサー２０４が計測する温度に基づいて開極用充電回路１２に対して前記開極用駆動コンデンサ２２の充電電圧補正値を指示する第２の温度補正指示部４００を備える。
従って、閉極用駆動コイル３１および閉極用駆動コンデンサ２１の周囲温度や開極用駆動コイル３２および開極用駆動コンデンサ２２の周囲温度が変化しても、閉極用駆動コイル３１および開極用駆動コイ３２を流れる電流を精度よく制御できる。
【００４９】
実施の形態２．
前述した実施の形態１では、閉極用駆動コイル３１の周囲に閉極用駆動コイル３１の温度を計測するための第１の温度センサー２０１を配置した場合あるいは開極用駆動コイル３２の周囲に開極用駆動コイル３２の温度を計測するための第３の温度センサー２０３を配置した場合にいて述べたが、実施の形態２による真空遮断器の電磁操作装置では、第１の温度センサー２０１を閉極用駆動コイル３１に埋め込み、また、第３の温度センサー２０３を開極駆動用コイル３２に埋め込むことを特徴とする。
これにより、閉極用駆動コイル３１の温度あるいは開極用駆動コイル３２の温度を直接計測することが可能となり、周囲温度変化に対する閉極用駆動コンデンサ２１あるいは開極用駆動コンデンサ２２の充電電圧補正の精度を上げることが可能となる。
すなわち、本実施の形態によれば、閉極用駆動コイル３１あるいは開極用駆動コイル３２を流れる電流を、さらに精度よく制御できるので、開閉接点の閉極動作速度を所定の範囲内に精度よく抑制することができる。
【００５０】
実施の形態３．
図５は、実施の形態３に係る真空遮断器の電磁操作装置の構成を示す図である。
前述した実施の形態１では、閉極用駆動コイル３１の周囲に配置した第１の温度センサー２０１を用いて閉極用駆動コイル３１の温度を測定し、開極用駆動コイル３２の周囲に配置した第３の温度センサー２０３を用いて開極用駆動コイル３２の温度を測定しているが、本実施の形態では、図５に示すように、第１の温度センサー２０１を用いる代わりに、第１の温度計測用通電部４３を設け、第３の温度センサー２０３を用いる代わりに、第２の温度計測用通電部４４を設けていることを特徴とする。
【００５１】
本実施の形態では、第１の温度計測用通電部４３によって閉極用駆動コイル３１に微弱な電流を流す。
そして、第１の温度補正指示部３００は、閉極用駆動コイル３１に流れる微弱な電流によって発生する電圧値を検出することによって閉極用駆動コイル３１の抵抗値を求める。
閉極用駆動コイル３１の抵抗値は温度により変化するので、第１の温度補正指示部３００は、閉極用駆動コイル３１の抵抗値が求まると、計算によって閉極用駆動コイル３１の温度が求まる。
第１の温度補正指示部３００は、計算によって求めた閉極用駆動コイル３１の温度と第２の温度センサー２０２により計測される閉極用駆動コンデンサ２１の温度の両方に基づいて、閉極用駆動コンデンサ２１の充電電圧を補正する。
【００５２】
同様に、本実施の形態では、第２の温度計測用通電部４４によって開極用駆動コイル３２に微弱な電流を流す。
そして、第２の温度補正指示部４００は、開極用駆動コイル３２に流れる微弱な電流によって発生する電圧値を検出することによって開極用駆動コイル３２の抵抗値を求める。
開極用駆動コイル３２の抵抗値は温度により変化するので、第２の温度補正指示部４００は、開極用駆動コイル３２の抵抗値が求まると、計算によって開極用駆動コイル３２の温度が求まる。
第２の温度補正指示部４００は、計算によって求めた開極用駆動コイル３２の温度と第４の温度センサー２０４により計測される開極用駆動コンデンサ２２の温度の両方に基づいて、開極用駆動コンデンサ２２の充電電圧を補正する。
【００５３】
以上のように、本実施の形態による真空遮断器の電磁操作装置は、実施の形態１における第１の温度センサー２０１に代えて、閉極用駆動コイル３１に電流を流す第１の温度計測用通電部４３を備え、第１の温度補正指示部３００は、第１の温度計測用通電部４３により閉極用駆動コイル３１に流れる電流によって発生する電圧値を検出することによって閉極用駆動コイル３１の抵抗値を求め、求めた抵抗値から閉極用駆動コイル３１の温度を演算により計測する閉極用駆動コイル温度計測手段を備え、第１の温度補正指示部３００は、閉極用駆動コイル温度計測手段および第２の温度センサー２０２が計測する温度に基づいて、閉極用充電回路１１に対して閉極用駆動コンデンサ２１の充電電圧補正値を指示する。
これにより、本実施の形態では、閉極用駆動コイル３１の温度を計測するための第１の温度センサー２０１を用いることなく、閉極用駆動コイル３１の温度を求めることが出来る。
【００５４】
また、本実施の形態による真空遮断器の電磁操作装置は、実施の形態１における第３の温度センサー２０３に代えて、開極用駆動コイル３２に電流を流す第２の温度計測用通電部４４を備え、第２の温度補正指示部４００は、第２の温度計測用通電部４４により開極用駆動コイル３２に流れる電流によって発生する電圧値を検出することによって開極用駆動コイル３２の抵抗値を求め、求めた抵抗値から開極用駆動コイル３２の温度を演算により計測する開極用駆動コイル温度計測手段を備え、第２の温度補正指示部４００は、開極用駆動コイル温度計測手段および第４の温度センサー２０４が計測する温度に基づいて、開極用充電回路１２に対して開極用駆動コンデンサ１２の充電電圧補正値を指示する。
これにより、本実施の形態では、開極用駆動コイル３２の温度を計測するための第３の温度センサー２０３を用いることなく、開極用駆動コイル３２の温度を求めることが出来る。
【００５５】
また、本実施の形態による真空遮断器の電磁操作装置は、第１の温度センサー２０１に代えて、閉極用駆動コイル３１に電流を流す第１の温度計測用通電部４３を備え、第１の温度補正指示部３００は、閉極用駆動コイル温度計測手段および第２温度センサー２０２が計測する温度に基づいて、閉極用充電回路１１に対して閉極用駆動コンデンサ２１の充電電圧補正値を指示するとともに、さらに、第３の温度センサー２０３に代えて、開極用駆動コイル３２に電流を流す第２の温度計測用通電部４４を備え、第２の温度補正指示部４００は、開極用駆動コイル温度計測手段および第４の温度センサー２０４が計測する温度に基づいて、開極用充電回路１２に対して開極用駆動コンデンサ２２の充電電圧補正値を指示する。
これにより、本実施の形態では、閉極用駆動コイル３１の温度を計測するための第１の温度センサー２０１を用いることなく、閉極用駆動コイル３１の温度を求めることが出来るとともに、開極用駆動コイル３２の温度を計測するための第３の温度センサー２０３を用いることなく、開極用駆動コイル３２の温度を求めることが出来る。
【産業上の利用可能性】
【００５６】
本発明は、駆動コイルあるいは駆動コンデンサの周囲温度が変化しても、閉極動作速度や開極動作速度の変化を抑制し、規格（ＪＥＣ−２３００）に規定されている３サイクルクローズ・オープンの動作責務を満たすことができる真空遮断器の電磁操作装置の実現に有用である。
【符号の説明】
【００５７】
１０  電源
１１  閉極用充電回路              １２  開極用充電回路
２１  閉極用駆動コンデンサ      ２２  開極用駆動コンデンサ
３１  閉極用駆動コイル          ３２  開極用駆動コイル
４１  第１の通電部              ４２  第２の通電部
４３  第１の温度計測用通電部    ４４  第２の温度計測用通電部
２０１  第１の温度センサー      ２０２  第２の温度センサー
２０３  第３の温度センサー      ２０４  第４の温度センサー
３００  第１の温度補正指示部    ４００  第２の温度補正指示部
【図１】
2013031037.tif 000003
【図２】
2013031037.tif 000004
【図３】
2013031037.tif 000005
【図４】
2013031037.tif 000006
【図５】
2013031037.tif 000007
【図６】
2013031037.tif 000008
【図７】
2013031037.tif 000009
【図８】
2013031037.tif 000010
【図９】
2013031037.tif 000011
【手続補正書】
【提出日】平成25年11月11日(2013.11.11)
【手続補正１】
【補正対象書類名】特許請求の範囲
【補正対象項目名】請求項８
【補正方法】変更
【補正の内容】
【請求項８】
真空遮断器に用いられる真空スイッチ管の接点開閉動作の速度を電磁操作により制御する真空遮断器の電磁操作装置であって、
前記真空スイッチ管の閉極用駆動コイルと、
前記閉極用駆動コイルに接点閉極用駆動電流を流すための閉極用駆動コンデンサと、
前記閉極用駆動コンデンサを充電する閉極用充電回路と、
前記閉極用駆動コイルの周囲温度を計測する第１の温度センサーと、
前記閉極用駆動コンデンサの周囲温度を計測する第２の温度センサ
ーと、
前記第１の温度センサーおよび前記第２の温度センサーが計測する温度に基づいて前記閉極用充電回路に対して前記閉極用駆動コンデンサの充電電圧補正値を指示する第１の温度補正指示部と、
前記真空スイッチ管の開極用駆動コイルと、
前記開極用駆動コイルに接点開極用駆動電流を流すための開極用駆動コンデンサと、
前記開極用駆動コンデンサを充電する開極用充電回路と、
前記開極用駆動コイルの周囲温度を計測する第３の温度センサーと、
前記開極用駆動コンデンサの周囲温度を計測する第４の温度センサーと、
前記第３の温度センサーおよび前記第４の温度センサーが計測する温度に基づいて前記開極用充電回路に対して前記開極用駆動コンデンサの充電電圧補正値を指示する第２の温度補正指示部を備えたことを特徴とする真空遮断器の電磁操作装置。
【国際調査報告】
2013031037.tif 000012
2013031037.tif 000013
2013031037.tif 000014
2013031037.tif 000015